(57)【要約】【課題】会議場所がどこに変更されても会議の出席予定者の存在確認を効率的に行うことができること。【解決手段】携帯通信端末装置１は、自装置と直接通信可能な範囲に存在することが予定されている通信装置の識別子を記憶するグループ・メンバ情報１３２と、自装置と直接通信可能な範囲に存在する通信装置であって自装置との直接通信があらかじめ許可されている通信装置から当該通信装置固有の識別子を受信する受信処理部１４２と、グループ・メンバ情報１３２によって記憶された各識別子が、受信処理部１４２によって受信されたいずれかの識別子と一致しているか否かを判定する識別番号照合部１４３と、を備える。【選択図】        図２
2010128811.tif 000002
【特許請求の範囲】
【請求項１】
自装置と直接通信可能な範囲に存在することが予定されている通信装置の識別子を記憶する記憶手段と、
自装置と直接通信可能な範囲に存在する通信装置であって自装置との直接通信があらかじめ許可されている通信装置から当該通信装置固有の識別子を受信する受信手段と、
前記記憶手段によって記憶された各識別子が、前記受信手段によって受信されたいずれかの識別子と一致しているか否かを判定する判定手段と、
を備えることを特徴とする携帯通信端末装置。
【請求項２】
前記判定手段によって、前記記憶手段によって記憶された識別子が、前記受信手段によって受信されたいずれの識別子とも一致していないと判定されたとき、一致するものがない識別子に対応する通信装置が自装置の直接通信可能範囲内に存在していない旨の情報を出力する出力手段をさらに備えることを特徴とする請求項１に記載の携帯通信端末装置。
【請求項３】
前記判定手段によって、前記受信手段によって受信された識別子の中に前記記憶手段によって記憶された識別子に含まれない識別子があると判定されたとき、記憶された識別子に含まれない識別子に対応する通信装置が、自装置の直接通信可能範囲内に存在することが予定されていない旨の情報を出力する出力手段をさらに備えることを特徴とする請求項１に記載の携帯通信端末装置。
【請求項４】
前記判定手段によって、前記記憶手段によって記憶された識別子が、前記受信手段によって受信されたいずれの識別子とも一致していないと判定されたとき、一致するものがない識別子に対応する通信装置が自装置の直接通信範囲の近傍にいるか否かを判定する存在可能判定手段をさらに備えることを特徴とする請求項１または請求項２に記載の携帯通信端末装置。
【請求項５】
前記出力手段は、
前記存在可能判定手段によって、一致するものがない識別子に対応する通信装置が、自装置の直接通信範囲の近傍にいると判定されたとき、当該通信装置が所定の時間経過前に自装置の直接通信可能範囲内に存在可能である旨を出力することを特徴とする請求項４に記載の携帯通信端末装置。
【請求項６】
自装置と直接通信可能な範囲に存在することが予定されている通信装置の識別子を記憶する記憶手順と、
自装置と直接通信可能な範囲に存在する通信装置であって自装置との直接通信があらかじめ許可されている通信装置から当該通信装置固有の識別子を受信する受信手順と、
前記記憶手順によって記憶された各識別子が、前記受信手順によって受信されたいずれかの識別子と一致しているか否かを判定する判定手順と、
をコンピュータに実行させることを特徴とする存在確認プログラム。
【請求項７】
自装置と直接通信可能な範囲に存在することが予定されている通信装置の識別子を記憶する記憶工程と、
自装置と直接通信可能な範囲に存在する通信装置であって自装置との直接通信があらかじめ許可されている通信装置から当該通信装置固有の識別子を受信する受信工程と、
前記記憶工程によって記憶された各識別子が、前記受信工程によって受信されたいずれかの識別子と一致しているか否かを判定する判定工程と、
を含むことを特徴とする存在確認方法。
【請求項８】
自装置と直接通信可能な範囲に存在することが予定されている通信装置の識別子を記憶する記憶手段と、
自装置と直接通信可能な範囲に存在する通信装置であって自装置との直接通信があらかじめ許可されている通信装置から当該通信装置固有の識別子を受信する受信手段と、
前記記憶手段によって記憶された各識別子が、前記受信手段によって受信されたいずれかの識別子と一致しているか否かを判定する判定手段と、
を備えることを特徴とする制御回路。
【発明の詳細な説明】
【技術分野】
【０００１】
本発明は、携帯通信端末装置、存在確認プログラム、存在確認方法および制御回路に関する。
【背景技術】
【０００２】
近年、会議の出席予定者が会議に出席しているか否かを確認する技術の一つとして、センサを用いる技術がある。例えば、会議室の入り口に設置されたセンサが会議室へ入場した者の所持する機器の識別子を検知して、検知された識別子と会議出席予定者リストとを照合して、会議の出席予定者が会議に出席しているか否かを判断して、会議の出席予定者を正確に把握する技術が開示されている。
【０００３】
【特許文献１】特開２００４−３８８８６号公報
【発明の開示】
【発明が解決しようとする課題】
【０００４】
しかしながら、会議を行う場所がその都度変更されると、会議に誰が出席して誰が欠席しているかを効率的に確認することができないという問題がある。すなわち、従来のセンサを用いた技術を使っても、センサは固定の会議場所に設置されているため、センサが設置されていない場所に会議場所が変更されたときは、会議に誰が出席していて誰が欠席しているのかを迅速且つ正確に確認することができない。
【０００５】
本発明は、上記に鑑みてなされたものであって、会議場所がどこに変更されても会議の出席予定者の存在確認を効率的に行うことができる携帯通信端末装置、存在確認プログラム、存在確認方法および制御回路を提供することを目的とする。
【課題を解決するための手段】
【０００６】
上述した問題を解決し、目的を達成するために、携帯通信端末装置は、自装置と直接通信可能な範囲に存在することが予定されている通信装置の識別子を記憶する記憶手段と、自装置と直接通信可能な範囲に存在する通信装置であって自装置との直接通信があらかじめ許可されている通信装置から当該通信装置固有の識別子を受信する受信手段と、前記記憶手段によって記憶された各識別子が、前記受信手段によって受信されたいずれかの識別子と一致しているか否かを判定する判定手段と、を備えた構成を採る。
【０００７】
かかる構成によれば、携帯通信端末装置は、自装置との直接通信があらかじめ許可されている通信装置だけと直接通信することができるため、自装置がどこに移動しても、自装置と直接通信可能な範囲に存在することが予定されている通信装置の存在状況の確認を迅速且つ正確に行うことができる。
【発明の効果】
【０００８】
以上により、携帯通信端末装置、存在確認プログラム、存在確認方法および制御回路は、会議場所がどこに変更されても会議の出席予定者の存在確認を効率的に行うことができるという効果を奏する。
【発明を実施するための最良の形態】
【０００９】
以下に、本発明に係る携帯通信端末装置の実施例を図面に基づいて詳細に説明する。なお、本実施例によりこの発明が限定されるものではない。
【実施例１】
【００１０】
図１は、実施例１に係る携帯通信端末装置の出席状況確認処理の概念を説明するための図である。図１に示すように、会議の主催者が所持する携帯通信端末装置１は、自装置１が基地局を介さない直接通信範囲である会議の集合場所において、会議の出席者が所持する携帯通信端末装置に対して自装置固有の識別番号を送信する。そして、携帯通信端末装置１は、自装置１との通信があらかじめ許可され会議の集合場所に存在する携帯通信端末装置から当該装置固有の識別番号を受信する。この通信を実現するために、携帯通信端末装置１は、例えば自装置１が通信を許可する携帯通信端末装置の識別番号をあらかじめ登録し、自装置１との通信が許可されている携帯通信端末装置は、携帯通信端末装置１の識別番号をあらかじめ登録する。そして、携帯通信端末装置１は、自装置１との通信を許可されているメンバであって会議の出席が予定されているメンバを取得して、取得されたそれぞれのメンバが所持する携帯通信端末装置の識別番号と受信された携帯通信端末装置の識別番号とに基づいて、会議出席予定者が会議に出席しているか否かを判定する。なお、この通信方式は、近距離無線通信を実現するＢｌｕｅｔｏｏｔｈ（登録商標）であるが、これに限定されるものではない。また、携帯通信端末装置１は、主催者があらかじめ定めた特定のチャネルを利用した近距離無線通信を用いても良いし、無線通信を用いる代わりに赤外線等他の電磁波を用いても良い。
【００１１】
図２は、実施例１に係る携帯通信端末装置の要部構成の一例を示す図である。図２に示すように、携帯通信端末装置１は、ユーザインタフェース部１１０と、データ管理部１２０と、記憶部１３０と、制御部１４０と、通信制御部１５０と、を備える。その他、周知の携帯通信端末装置（携帯電話）を構成する基本的な処理部の説明は、従来の携帯通信端末装置と同様であるため、ここでは説明を省略する。
【００１２】
ユーザインタフェース部１１０は、入力部１１１と出力部１１２とを備える。入力部１１１は、携帯通信端末装置１の入力装置であり、出席状況確認処理を操作するために割り当てられたボタンを含む。入力部１１１は、グループ名一覧取得操作に割り当てられたボタンがユーザによって押下されたとき、出席状況を行う会議ごとに名付けられたグループ名の一覧を取得する旨のグループ名一覧取得要求をグループ取得部１２１に出力する。また、入力部１１１は、メンバ識別番号取得操作に割り当てられたボタンがユーザによって押下されたとき、メンバ識別番号取得要求を出席予定対象者取得部１２２に出力する。なお、入力部１１１は、例えば、キーボード、キーパッド、マウスまたはタッチペンであるが、これらに限定されるものではない。
【００１３】
出力部１１２は、携帯通信端末装置１の出力装置である。出力部１１２は、出席状況確認処理の結果を出力する。具体的には、出力部１１２は、グループ取得部１２１から出力されたグループ名を取得し、取得されたグループ名を出力する。また、出力部１１２は、識別番号照合部１４３から出力された出席状況を取得し、取得された出席状況を出力する。なお、出力部１１２は、例えば、ディスプレイまたはスピーカであるが、これらに限定されるものではない。
【００１４】
データ管理部１２０は、グループ取得部１２１と、出席予定対象者取得部１２２と、を備える。グループ取得部１２１は、入力部１１１からグループ名一覧取得要求を取得すると、出席状況が確認される会議ごとに名付けられたグループ名が保持されたグループ情報１３１からグループ名を読み出し、読み出されたグループ名を、出力部１１２に出力する。
【００１５】
出席予定対象者取得部１２２は、入力部１１１から選択されたグループ名のメンバ識別番号取得要求を取得すると、グループのメンバ情報が保持されたグループ・メンバ情報１３２から、選択されたグループのメンバの識別番号およびメンバ名を読み出す。そして、出席予定対象者取得部１２２は、読み出された識別番号およびメンバ名を、送信処理部１４１および識別番号照合部１４３に出力する。
【００１６】
記憶部１３０は、グループ情報１３１と、グループ・メンバ情報１３２と、接続許可識別番号情報１３３と、を備える。グループ情報１３１には、出席状況の確認が行われる会議ごとに名付けられたグループ名が保持される。
【００１７】
グループ・メンバ情報１３２には、グループ名に応じたメンバ情報が保持される。ここで、グループ・メンバ情報１３２のデータ構造の一例について図３を参照して説明する。図３に示すように、グループ・メンバ情報１３２は、グループ名と、グループに属するメンバの名前と、メンバの識別番号と、をメンバごとに保持する。ここで、メンバの識別番号は、各メンバが所持する携帯通信端末装置固有の識別番号と同一であるものとし、他のメンバの識別番号と重複することはない。なお、グループに属するメンバとは、グループによって行われる会議に出席することが予定されたメンバを意味する。
【００１８】
接続許可識別番号情報１３３には、携帯通信端末装置１との無線通信の接続が許可された携帯通信端末装置の識別番号が保持される。
【００１９】
制御部１４０は、送信処理部１４１と、受信処理部１４２と、識別番号照合部１４３と、を備える。
【００２０】
送信処理部１４１は、出席予定対象者取得部１２２から識別番号およびメンバ名を取得すると、近距離無線通信を用いて通信可能な携帯通信端末装置と無線通信を開始するために、取得された識別番号の数だけ自己の携帯通信端末装置１の識別番号を通信制御部１５０に対して出力する。ここで、携帯通信端末装置１は、出席状況確認処理を行う前に、携帯通信端末装置１との無線通信の接続が許可された携帯通信端末装置との間で相互に識別番号を登録する。これをペアリングというものとする。具体的には、携帯通信端末装置１は、自装置１との無線通信の接続を許可された携帯通信端末装置の識別番号を接続許可識別番号情報１３３に登録する。これにより、携帯通信端末装置１は、ペアリングを行った携帯通信端末装置と接続可能になり、自装置１と接続可能になった携帯通信端末装置が自装置１の通信可能な範囲内に存在すれば、当該携帯通信端末装置と近距離無線通信をすることができる。
【００２１】
受信処理部１４２は、携帯通信端末装置の識別番号を通信制御部１５０から取得すると、取得された識別番号の中から自装置１と接続可能な携帯通信端末装置の識別番号を取得して、取得された識別番号を識別番号照合部１４３に出力する。例えば、受信処理部１４２は、通信制御部１５０から取得された識別番号が接続許可識別番号情報１３３に含まれる識別番号と一致するか否かを判定する。そして、受信処理部１４２は、通信制御部１５０から取得された識別番号が接続許可識別番号情報１３３に含まれる識別番号と一致すると判定されたとき、当該識別番号を識別番号照合部１４３に出力する。一方、受信処理部１４２は、通信制御部１５０から取得された識別番号が接続許可識別番号情報１３３に含まれる識別番号と一致していないと判定されたとき、当該識別番号を破棄する。なお、受信処理部１４２は、自装置１と接続可能な携帯通信端末装置自体の識別番号を取得しているが、これに限定されず、自装置１と接続可能且つ会議に出席が予定されているメンバの不在通知を含めた情報を取得しても良い。これにより、受信処理部１４２は、他の携帯通信端末装置を所持する出席予定者の不在通知をも確実に受け取ることができる。また、携帯通信端末装置１と接続可能な携帯通信端末装置の識別番号の取得方法については後に詳述する。
【００２２】
識別番号照合部１４３は、受信処理部１４２から携帯通信端末装置１と接続可能な携帯通信端末装置の識別番号を取得する。また、識別番号照合部１４３は、出席予定対象者取得部１２２から出席予定メンバの識別番号およびメンバ名を取得する。そして、識別番号照合部１４３は、各出席予定メンバの識別番号および携帯通信端末装置１と接続可能な携帯通信端末装置の識別番号を照合して、各出席予定メンバの識別番号が携帯通信端末装置１と接続可能な携帯通信端末装置の識別番号と一致しているか否かを判定する。そして、識別番号照合部１４３は、各出席予定メンバの識別番号が携帯通信端末装置１と接続可能な携帯通信端末装置の識別番号と一致しているとき、当該出席予定メンバの出席状況を「出席」と決定する。一方、識別番号照合部１４３は、各出席予定メンバの識別番号が携帯通信端末装置１と接続可能な携帯通信端末装置の識別番号と一致していないとき、当該出席予定メンバの出席状況を「欠席」と決定する。
【００２３】
識別番号照合部１４３は、さらに、携帯通信端末装置１と接続可能な携帯通信端末装置の識別番号の中に出席予定メンバの識別番号以外の識別番号が含まれているか否かを判定する。そして、識別番号照合部１４３は、携帯通信端末装置１と接続可能な携帯通信端末装置の識別番号の中に出席予定メンバの識別番号以外の識別番号が含まれているとき、当該識別番号のメンバの出席状況を例えば会議を円滑に進めるための補助者を示す「補助」と決定する。そして、識別番号照合部１４３は、識別番号に対応する出席状況およびメンバ名を出力部１１２に出力する。
【００２４】
通信制御部１５０は、自己の携帯通信端末装置１の識別番号を送信処理部１４１から取得すると、取得された識別番号を会議に出席している携帯通信端末装置に向けて送信する。また、通信制御部１５０は、携帯通信端末装置１の通信可能範囲内に存在する携帯通信端末装置から携帯通信端末装置固有の識別番号を受信し、受信された識別番号を受信処理部１４２に出力する。
【００２５】
ここで、携帯通信端末装置１が自装置１と接続可能な携帯通信端末装置の識別番号を取得する方法について図４を参照して説明する。図４は、識別番号の取得方法を示す図である。なお、図４の例では、会議出席予定者は、山田さん、太田さんおよび倉本さんであり、さらに携帯通信端末装置１との無線通信の接続が許可された会議出席許可者には、鈴木さんを含むものとする。すなわち、携帯通信端末装置１は、識別番号００２、００３、００４および０１１の携帯通信端末装置との間で事前にペアリングを完了して、識別番号００２、００３、００４および０１１の携帯通信端末装置と接続可能になっている。そして、識別番号００１の携帯通信端末装置１は、自装置１の通信可能範囲内に存在し携帯通信端末装置１と接続可能な携帯通信端末装置と近距離無線通信を行う。
【００２６】
図４に示すように、識別番号００２、００３および０１１の携帯通信端末装置が携帯通信端末装置１の通信可能範囲内に存在し且つ携帯通信端末装置１と接続可能であるため、携帯通信端末装置１は、識別番号００２、００３および０１１の携帯通信端末装置からそれぞれの識別番号を取得する。しかし、識別番号００４の携帯通信端末装置は、携帯通信端末装置１の通信可能範囲を越えた位置に存在するため、携帯通信端末装置１と無線通信することができず、携帯通信端末装置１は、自装置１の識別番号を送信しても、識別番号００４の携帯通信端末装置から当該識別番号を取得できない。なお、識別番号１００の携帯通信端末装置は、携帯通信端末装置１の通信可能範囲内に存在するが、会議出席許可者ではないため携帯通信端末装置１と無線通信をすることができず、携帯通信端末装置１は、自装置の識別番号を送信しても、識別番号１００の携帯通信端末装置から当該識別番号を取得できない。
【００２７】
そして、携帯通信端末装置１は、出席予定メンバの識別番号（００２、００３、００４）と携帯通信端末装置１と接続可能な携帯通信端末装置の識別番号（００２、００３、０１１）とを照合して、各出席予定メンバの識別番号が携帯通信端末装置１と接続可能な携帯通信端末装置の識別番号と一致するか否かを判定する。図４の例では、出席予定メンバの識別番号００２および識別番号００３は、携帯通信端末装置１と接続可能な携帯通信端末装置の識別番号のいずれかと一致しているが、出席予定メンバの識別番号００４は、いずれの識別番号とも一致していない。その結果、出席予定メンバのうち識別番号００２の山田さんと識別番号００３の太田さんは、会議に出席していることが確認され、識別番号００４の倉本さんは、会議を欠席していることが確認される。
【００２８】
さらに、携帯通信端末装置１は、携帯通信端末装置１と接続可能な携帯通信端末装置の識別番号の中に出席予定メンバの識別番号以外の識別番号が含まれているか否かを判定する。図４の例では、携帯通信端末装置０１１は、出席予定メンバの識別番号に含まれていない。その結果、出席予定メンバでない識別番号０１１のメンバは、例えば補助者または出席予定者の代理人として会議に出席していることが確認される。
【００２９】
次に、実施例１に係る出席状況確認処理を、図５を参照して説明する。図５は、実施例１に係る出席状況確認処理のフローチャートを示す図である。
【００３０】
まず、会議の主催者が出席状況確認処理を起動するために割り当てられたボタンを押下する。すると、入力部１１１から出力されたグループ名一覧取得要求がグループ取得部１２１によって取得され、グループ取得部１２１は、グループ情報１３１からグループ名の一覧を取得して（Ｓ１１０）、取得されたグループ名の一覧を出力部１１２に出力する。
【００３１】
次に、主催者がグループ名の一覧の中から選択したグループ名に割り当てられたボタンを押下する。すると、入力部１１１から出力された選択グループ名に対するメンバ識別番号取得要求が出席予定対象者取得部１２２によって取得され、出席予定対象者取得部１２２は、グループ・メンバ情報１３２から選択グループ名に対応する識別番号および出席予定メンバ名を取得する（Ｓ１２０）。そして、出席予定対象者取得部１２２は、取得された識別番号および出席予定メンバ名を送信処理部１４１および識別番号照合部１４３に出力する。
【００３２】
引き続き、識別番号および出席予定メンバ名を取得した送信処理部１４１は、出席予定メンバの数だけ自己の携帯通信端末装置１の識別番号を送信したか否かを判定する（Ｓ１３０）。なお、出席予定メンバの数に限定しないで、会議に出席する人員が増加することを考慮して、携帯通信端末装置１との接続が許可された識別番号の最大数以内の数分送信するものとしても良い。
【００３３】
出席予定メンバの数だけ自己の携帯通信端末装置１の識別番号を送信していない場合（Ｓ１３０Ｎｏ）、送信処理部１４１は、自己の携帯通信端末装置１の識別番号を、会議の出席者が所持する携帯通信端末装置に向けて通信制御部１５０を介して送信する（Ｓ１４０）。
【００３４】
そして、通信制御部１５０は、携帯通信端末装置１の通信可能範囲内に存在する携帯通信端末装置から携帯通信端末装置固有の識別番号を受信して（Ｓ１５０）、受信された識別番号を受信処理部１４２に出力する。
【００３５】
通信制御部１５０から識別番号を取得した受信処理部１４２は、取得した識別番号の携帯通信端末装置が携帯通信端末装置１と接続可能であるか否かを判定する（Ｓ１６０）。具体的には、受信処理部１４２は、通信制御部１５０から取得された識別番号が接続許可識別番号情報１３３に含まれる識別番号と一致するか否かを判定する。
【００３６】
取得した識別番号の携帯通信端末装置が携帯通信端末装置１と接続可能である場合（Ｓ１６０Ｙｅｓ）、当該識別番号を例えば記憶部１３０に一時的に保持する（Ｓ１７０）。
【００３７】
一方、取得した識別番号の携帯通信端末装置が携帯通信端末装置１と接続可能でない場合（Ｓ１６０Ｎｏ）、当該識別番号を破棄する（Ｓ１８０）。
【００３８】
また、出席予定メンバの数だけ自己の携帯通信端末装置１の識別番号を送信した場合（Ｓ１３０Ｙｅｓ）、例えば記憶部１３０に一時的に保持された識別番号であって携帯通信端末装置１と接続可能な識別番号を識別番号照合部１４３に出力する。
【００３９】
出席予定対象者取得部１２２から出席予定メンバの識別番号およびメンバ名を取得した識別番号照合部１４３は、全ての出席予定メンバの出席状況を決定したか否かを判定する（Ｓ１９０）。
【００４０】
全ての出席予定メンバの出席状況を決定していない場合（Ｓ１９０Ｎｏ）、出席状況を設定していない出席予定メンバの識別番号が、携帯通信端末装置１と接続可能な携帯通信端末装置の識別番号と一致するか否かを判定する（Ｓ２００）。
【００４１】
出席状況を設定していない出席予定メンバの識別番号が携帯通信端末装置１と接続可能な携帯通信端末装置の識別番号と一致する場合（Ｓ２００Ｙｅｓ）、識別番号照合部１４３は、当該出席予定メンバの識別番号の出席状況を「出席」と決定する（Ｓ２１０）。
【００４２】
一方、出席状況を設定していない出席予定メンバの識別番号が携帯通信端末装置１と接続可能な携帯通信端末装置の識別番号と一致しない場合（Ｓ２００Ｎｏ）、識別番号照合部１４３は、当該出席予定メンバの識別番号の出席状況を「欠席」と決定する（Ｓ２２０）。
【００４３】
そして、全ての出席予定メンバの出席状況を決定した場合（Ｓ１９０Ｙｅｓ）、識別番号照合部１４３は、携帯通信端末装置１と接続可能な携帯通信端末装置の識別番号の中に出席予定メンバ以外の識別番号が含まれているか否かを判定する（Ｓ２３０）。
【００４４】
携帯通信端末装置１と接続可能な携帯通信端末装置の識別番号の中に出席予定メンバ以外の識別番号が含まれている場合（Ｓ２３０Ｙｅｓ）、識別番号照合部１４３は、当該識別番号の出席状況を「補助」と決定する（Ｓ２４０）。
【００４５】
そして、識別番号照合部１４３は、識別番号に対応した出席状況を出力部１１２に出力する（Ｓ２５０）。その結果、出力部１１２は、識別番号に対応した出席状況を出力する。
【００４６】
次に、実施例１に係る出席状況確認処理のシーケンスを、図６を参照して説明する。図６は、実施例１に係る出席状況確認処理のシーケンスを示す図である。
【００４７】
まず、会議の主催者が、出席状況確認処理に割り当てられているボタンを押下すると（Ｓ３１０）、ユーザインタフェース部１１０の入力部１１１は、グループ名一覧取得要求をデータ管理部１２０のグループ取得部１２１に出力する（Ｓ３２０）。
【００４８】
そして、グループ取得部１２１は、グループ情報１３１からグループ名を読み出し、読み出されたグループ名を、ユーザインタフェース部１１０の出力部１１２に出力する（Ｓ３３０）。
【００４９】
引き続き、主催者が、出力部１１２に出力されたグループ名からグループ名を選択すると（Ｓ３４０）、ユーザインタフェース部１１０の入力部１１１は、選択されたブループ名のメンバ識別番号取得要求をデータ管理部１２０の出席予定対象者取得部１２２に出力する（Ｓ３５０）。
【００５０】
そして、出席予定対象者取得部１２２は、グループ・メンバ情報１３２から、選択されたグループ名のグループのメンバの識別番号およびメンバ名を読み出し、読み出されたメンバ識別番号およびメンバ名を、制御部１４０の送信処理部１４１および識別番号照合部１４３に出力する（Ｓ３６０）。
【００５１】
引き続き、データ管理部１２０からメンバ識別番号およびメンバ名を取得した制御部１４０の送信処理部１４１は、自装置の識別番号を、通信制御部１５０を介して会議に出席している携帯通信端末装置に向けて送信する（Ｓ３７０〜Ｓ３８０）。なお、送信処理部１４１は、原則としてメンバ識別番号の数だけ送信するが、これに限定されず、携帯通信端末装置１との接続が許可された識別番号の最大数まで送信するものとしても良い。
【００５２】
その後、受信処理部１４２は、携帯通信端末装置１の通信可能範囲内に存在する携帯通信端末装置から携帯通信端末装置固有の識別番号を、通信制御部１５０を介して取得する（Ｓ３９０〜Ｓ４００）。そして、受信処理部１４２は、取得された識別番号の中から携帯通信端末装置１と接続可能な携帯通信端末装置の識別番号を取得して、取得された識別番号を識別番号照合部１４３に出力する。
【００５３】
受信部１４２から携帯通信端末装置１と接続可能な携帯通信端末装置の識別番号を取得した識別番号照合部１４３は、出席予定対象者取得部１２２から取得したグループのメンバの識別番号と照合して（Ｓ４１０）、各メンバの出席状況を決定する。そして、識別番号照合部１４３は、グループの各メンバの出席状況をユーザインタフェース部１１０の出力部１１２に出力する（Ｓ４２０）。
【００５４】
次に、出席状況確認時における携帯通信端末装置１の表示の一例について、図７を参照して説明する。図７は、出席状況確認時における携帯通信端末装置１の表示の一例を示す図である。図７に示すように、会議の主催者が所持する携帯通信端末装置１には、出席状況確認処理が起動されたとき出力部１１２にグループ名一覧が出力される。そして、主催者が、出力されたグループ名一覧の中から会議の出席状況を確認したいグループを選択して確認ボタンを押下する。すると、携帯通信端末装置１は、選択されたグループに対する出席状況確認処理を行い、グループに属する各メンバの出欠状況およびグループに属さないが携帯通信端末装置１と接続可能な携帯通信端末装置の所持者の出席状況を出力部１１２に出力する。その後、主催者は、欠席者全員に一括してまたは個別に、会議の出席を促すためのメールを送信する。図７の例では、ｉアプリ開発グループに所属する倉本さんが、会議に欠席しているため、主催者は、会議の出席を促すためのメールを送信することができる。
【００５５】
これにより、携帯通信端末装置１は、グループに属する各メンバが会議に出席しているか出席していないかを正確且つ迅速に確認することができ、さらに欠席者に対して電話をしたり、連絡したりする手間を省くことができる。
【００５６】
以上のように本実施例１によれば、携帯無線通信装置１は、自装置と通信可能範囲に存在することが予定されている携帯無線通信装置の識別子をグループ・メンバ情報１３２に保持する。また、携帯無線通信装置１は、自装置と通信可能範囲に存在する携帯通信端末装置であって自装置との通信があらかじめ許可されている携帯通信端末装置から当該携帯通信端末装置固有の識別子を受信する。そして、携帯無線通信装置１は、グループ・メンバ情報１３２に保持された各識別子が、受信されたいずれかの識別子と一致しているか否かを判定する。
【００５７】
このようにして、携帯通信端末装置１は、自装置１との通信が許可されている携帯無線通信装置であって自装置１の通信可能範囲内にいる携帯無線通信装置だけと通信することができることとなり、自装置１がどこに移動しても自装置１との通信が許可されている会議出席予定者の携帯無線通信装置の存在状況の確認を効率的に行うことができる。
【実施例２】
【００５８】
ところで、上記の実施例１では、会議の主催者が所持する携帯無線通信装置１の通信可能範囲内に存在しない会議のメンバが欠席しているものとして説明した。本発明はこれに限定されるものではなく、会議の主催者が所持する携帯無線通信装置１の通信可能範囲内に存在しない会議のメンバの位置を算出して、当該メンバが欠席しているのか遅刻しているのかを判断しても良い。
【００５９】
そこで、実施例２では、会議の主催者が所持する携帯無線通信装置１の通信可能範囲内に存在しない会議のメンバの位置を算出して、当該メンバが欠席しているのか遅刻しているのかを判断する場合を説明する。
【００６０】
まず、実施例２に係る携帯通信端末装置の要部構成について図８を参照しながら説明する。図８は、実施例２に係る携帯通信端末装置の全体構成の一例を示す図である。図８に示すように、実施例２に係る携帯通信端末装置２では、実施例１に係る携帯通信端末装置１（図２）にアンテナ２１０と現在位置算出部２４１と出席可否判定部２４２とが追加されている。なお、図８において、図２と同じ部分には同じ符号を付し、詳しい説明を省略する。
【００６１】
識別番号照合部１４３は、受信処理部１４２から携帯通信端末装置１と接続可能な携帯通信端末装置の識別番号を取得する。また、識別番号照合部１４３は、出席予定対象者取得部１２２から出席予定メンバの識別番号およびメンバ名を取得する。そして、識別番号照合部１４３は、各出席予定メンバの識別番号および携帯通信端末装置１と接続可能な携帯通信端末装置の識別番号を照合して、各出席予定メンバの識別番号が携帯通信端末装置１と接続可能な携帯通信端末装置の識別番号と一致しているか否かを判定する。そして、識別番号照合部１４３は、各出席予定メンバの識別番号が携帯通信端末装置１と接続可能な携帯通信端末装置の識別番号と一致しているとき、当該出席予定メンバの出席状況を「出席」と決定する。一方、識別番号照合部１４３は、各出席予定メンバの識別番号が携帯通信端末装置１と接続可能な携帯通信端末装置の識別番号と一致していないとき、当該出席予定メンバの識別番号を現在位置算出部２４１に出力する。すなわち、識別番号照合部１４３は、出席予定メンバが所持する携帯通信端末装置のうち自装置２の通信可能範囲内に存在しない不在者の携帯通信端末装置の識別番号を現在位置算出部２４１に出力する。
【００６２】
アンテナ２１０は、携帯通信端末装置の位置を測定するためにＧＰＳ衛星からの電波を受信するためのアンテナであり、受信した信号を現在位置算出部２４１に出力する。
【００６３】
現在位置算出部２４１は、識別番号照合部１４３から識別番号を取得すると、取得された識別番号が示す不在者の携帯通信端末装置の位置を計測するために、当該携帯通信端末装置の電話番号を、アンテナ２１０を介してＧＰＳ（Global Positions System）に送信する。そして、現在位置算出部２４１は、アンテナ２１０を介してＧＰＳから受信された信号から不在者の携帯通信端末装置の現在位置を計測する。また、現在位置算出部２４１は、アンテナ２１０を介してＧＰＳから受信された信号から自装置２の現在位置を計測する。そして、現在位置算出部２４１は、不在者の携帯通信端末装置および自装置２の現在位置を出席可否判定部２４２に出力する。
【００６４】
出席可否判定部２４２は、現在位置算出部２４１から不在者の携帯通信端末装置および自装置２の現在位置を取得すると、自装置２と不在者の携帯通信端末装置との直線距離が所定範囲内であるか否かを判定する。ここで、所定範囲とは、携帯通信端末装置を所持する出席予定メンバが会議に参加することが可能な範囲であり、例えば徒歩により５分以内に自装置２の通信可能範囲内に到達する範囲をいうものとするが、これに限定されるものではない。そして、出席可否判定部２４２は、自装置２と不在者の携帯通信端末装置との直線距離が所定範囲内であるとき、不在者の出席状況を例えば「遅刻」と決定する。一方、出席可否判定部２４２は、自装置２と不在者の携帯通信端末装置との直線距離が所定範囲内でないとき、不在者の出席状況を「欠席」と決定する。そして、識別番号照合部１４３は、識別番号に対応する出席状況およびメンバ名を出力部１１２に出力する。
【００６５】
次に、実施例２に係る出席状況確認処理を、図９を参照して説明する。図９は、実施例２に係る出席状況確認処理のフローチャートである。なお、図９において、図５と同じ処理については、その説明を簡単にする。
【００６６】
まず、会議の主催者が出席状況確認処理を起動するために割り当てられたボタンを押下すると、グループ取得部１２１は、グループ名の一覧を出力部１１２に出力する（Ｓ５１０）。
【００６７】
次に、主催者がグループ名の一覧の中から選択したグループ名に割り当てられたボタンを押下すると、出席予定対象者取得部１２２は、選択グループ名に対応する識別番号および出席予定メンバ名を取得して（Ｓ５２０）、取得された識別番号および出席予定メンバ名を送信処理部１４１および識別番号照合部１４３に出力する。
【００６８】
引き続き、識別番号および出席予定メンバ名を取得した送信処理部１４１は、出席予定メンバ名の数だけ自装置１の識別番号を送信し、受信処理部１４２は、携帯通信端末装置２と接続可能な携帯通信端末装置から当該装置の識別番号を取得する（Ｓ５３０〜Ｓ５８０）。そして、受信処理部１４２は、取得された識別番号を識別番号照合部１４３に出力する。
【００６９】
出席予定対象者取得部１２２から出席予定メンバの識別番号およびメンバ名を取得した識別番号照合部１４３は、全ての出席予定メンバの出席状況を決定したか否かを判定する（Ｓ５９０）。
【００７０】
全ての出席予定メンバの出席状況を決定していない場合（Ｓ５９０Ｎｏ）、出席状況を設定していない出席予定メンバの識別番号が、携帯通信端末装置２と接続可能な携帯通信端末装置の識別番号と一致するか否かを判定する（Ｓ６００）。
【００７１】
出席状況を設定していない出席予定メンバの識別番号が携帯通信端末装置２と接続可能な携帯通信端末装置の識別番号と一致する場合（Ｓ６００Ｙｅｓ）、識別番号照合部１４３は、当該出席予定メンバの識別番号の出席状況を「出席」と決定する（Ｓ６１０）。
【００７２】
一方、出席状況を設定していない出席予定メンバの識別番号が携帯通信端末装置２と接続可能な携帯通信端末装置の識別番号と一致しない場合（Ｓ６００Ｎｏ）、識別番号照合部１４３は、当該出席予定メンバの識別番号を現在位置算出部２４１に出力する。
【００７３】
引き続き、識別番号照合部１４３から識別番号を取得した現在位置算出部２４１は、取得された識別番号の携帯通信端末装置の現在位置および自装置２の現在位置を計測する（Ｓ６２０）。そして、現在位置算出部２４１は、計測された携帯通信端末装置および自装置２の現在位置を出席可否判定部２４２に出力する。
【００７４】
携帯通信端末装置および自装置２の現在位置を出力された出席可否判定部２４２は、自装置２と携帯通信端末装置との直線距離が所定範囲内であるか否かを判定する（Ｓ６３０）。
【００７５】
自装置２と携帯通信端末装置との直線距離が所定範囲内である場合（Ｓ６３０Ｙｅｓ）、出席可否判定部２４２は、当該出席予定メンバの識別番号の出席状況を「遅刻」と決定する（Ｓ６４０）。
【００７６】
一方、自装置２と携帯通信端末装置との直線距離が所定範囲外である場合（Ｓ６３０Ｎｏ）、出席可否判定部２４２は、当該出席予定メンバの識別番号の出席状況を「欠席」と決定する（Ｓ６５０）。
【００７７】
そして、全ての出席予定メンバの出席状況を決定した場合（Ｓ５９０Ｙｅｓ）、識別番号照合部１４３は、携帯通信端末装置２と接続可能な携帯通信端末装置の識別番号の中に出席予定メンバ以外の識別番号が含まれているか否かを判定する（Ｓ６６０）。
【００７８】
携帯通信端末装置２と接続可能な携帯通信端末装置の識別番号の中に出席予定メンバ以外の識別番号が含まれている場合（Ｓ６６０Ｙｅｓ）、識別番号照合部１４３は、当該識別番号の出席状況を「補助」と決定する（Ｓ６７０）。
【００７９】
そして、識別番号照合部１４３は、識別番号に対応した出席状況を出力部１１２に出力する（Ｓ６８０）。その結果、出力部１１２は、識別番号に対応した出席状況を出力する。
【００８０】
次に、実施例２に係る出席状況確認処理のシーケンスを、図１０を参照して説明する。図１０は、実施例２に係る出席状況確認処理のシーケンスを示す図である。なお、図１０において、図６と同じシーケンスについては、その説明を簡単にする。
【００８１】
まず、会議の主催者が、出席状況確認処理に割り当てられているボタンを押下すると（Ｓ７１０）、ユーザインタフェース部１１０の入力部１１１は、グループ名一覧取得要求をデータ管理部１２０のグループ取得部１２１に出力する（Ｓ７２０）。
【００８２】
そして、グループ取得部１２１は、グループ情報１３１からグループ名を読み出し、読み出されたグループ名を、ユーザインタフェース部１１０の出力部１１２に出力する（Ｓ７３０）。
【００８３】
引き続き、主催者が、出力部１１２に出力されたグループ名からグループ名を選択すると（Ｓ７４０）、ユーザインタフェース部１１０の入力部１１１は、選択されたグループ名のメンバ識別番号取得要求をデータ管理部１２０の出席予定対象者取得部１２２に出力する（Ｓ７５０）。
【００８４】
そして、出席予定対象者取得部１２２は、グループ・メンバ情報１３２から、選択されたグループ名のグループのメンバの識別番号およびメンバ名を読み出し、読み出されたメンバ識別番号およびメンバ名を、制御部１４０の送信処理部１４１および識別番号照合部１４３に出力する（Ｓ７６０）。
【００８５】
引き続き、データ管理部１２０からメンバ識別番号およびメンバ名を取得した制御部１４０の送信処理部１４１は、自装置の識別番号を、通信制御部１５０を介して会議に出席している携帯通信端末装置に向けて送信する（Ｓ７７０〜７８０）。なお、送信処理部１４１は、原則としてメンバ識別番号の数だけ送信するが、これに限定されず、携帯通信端末装置２との接続が許可された識別番号の最大数まで送信するものとしても良い。
【００８６】
その後、受信処理部１４２は、自装置２の通信可能範囲内に存在する携帯通信端末装置から携帯通信端末装置固有の識別番号を、通信制御部１５０を介して取得する（Ｓ７９０〜Ｓ８００）。そして、受信処理部１４２は、取得された識別番号の中から自装置２と接続可能な携帯通信端末装置の識別番号を取得して、取得された識別番号を識別番号照合部１４３に出力する。
【００８７】
受信部１４２から自装置２と接続可能な携帯通信端末装置の識別番号を取得した識別番号照合部１４３は、出席予定対象者取得部１２２から取得したグループのメンバの識別番号と照合して（Ｓ８１０）、各メンバの出席状況を決定する。
【００８８】
引き続き、現在位置算出部２４１は、グループのメンバの識別番号のうち自装置２と接続可能な携帯通信端末装置の識別番号と一致しない識別番号が示す不在者の携帯通信端末装置の現在位置を、ＧＰＳと送受信して得られた信号から計測する（Ｓ８２０〜Ｓ８４０）。また、現在位置算出部２４１は、自装置２の現在位置を同様に計測して、出席可否判定部２４２は、自装置２と不在者の携帯通信端末装置との直線距離が所定範囲内であるとき、不在者の出席状況を例えば「遅刻」と決定する。一方、出席可否判定部２４２は、自装置２と不在者の携帯通信端末装置との直線距離が所定範囲内でないとき、不在者の出席状況を「欠席」と決定する。
【００８９】
そして、識別番号照合部１４３は、グループの各メンバの出席状況をユーザインタフェース部１１０の出力部１１２に出力する（Ｓ８５０）。
【００９０】
以上のように本実施例２によれば、携帯無線通信装置２は、自装置と通信可能範囲に存在することが予定されている携帯無線通信装置の識別子をグループ・メンバ情報１３２に保持する。また、携帯無線通信装置２は、自装置と通信可能範囲に存在する携帯通信端末装置であって自装置との通信があらかじめ許可されている携帯通信端末装置から当該携帯通信端末装置固有の識別子を受信する。そして、携帯無線通信装置２は、グループ・メンバ情報１３２に保持された各識別子が、受信されたいずれかの識別子と一致しているか否かを判定する。さらに、携帯無線通信装置２は、グループ・メンバ情報１３２に保持された識別子が、受信されたいずれの識別子とも一致していないとき、一致するものがない識別子に対応する携帯無線通信装置が自装置２の通信可能範囲の近傍にいるか否かを判定する。
【００９１】
このようにして、携帯無線通信装置２は、自装置２との通信があらかじめ許可されている携帯無線通信装置が自装置２の通信可能範囲外にいても当該携帯無線通信装置が自装置２の通信可能範囲の近傍にいるのかを把握することができるため、携帯無線通信装置を所持するメンバの会議への出席が可能か否かを効率的に確認することができる。
【００９２】
なお、携帯通信端末装置１および携帯通信端末装置２にて行われる各処理機能は、その全部または任意の一部が、ＣＰＵ（Central Processing Unit）にて解析実行されるプログラムにて実現され、あるいは、ワイヤードロジックによるハードウェアとして実現されても良い。
【００９３】
以上の実施例にかかる実施形態に関し、さらに以下の付記を開示する。
【００９４】
（付記１）自装置と直接通信可能な範囲に存在することが予定されている通信装置の識別子を記憶する記憶手段と、
自装置と直接通信可能な範囲に存在する通信装置であって自装置との直接通信があらかじめ許可されている通信装置から当該通信装置固有の識別子を受信する受信手段と、
前記記憶手段によって記憶された各識別子が、前記受信手段によって受信されたいずれかの識別子と一致しているか否かを判定する判定手段と、
を備えることを特徴とする携帯通信端末装置。
【００９５】
（付記２）前記判定手段によって、前記記憶手段によって記憶された識別子が、前記受信手段によって受信されたいずれの識別子とも一致していないと判定されたとき、一致するものがない識別子に対応する通信装置が自装置の直接通信可能範囲内に存在していない旨の情報を出力する出力手段をさらに備えることを特徴とする付記１に記載の携帯通信端末装置。
【００９６】
（付記３）前記判定手段によって、前記受信手段によって受信された識別子の中に前記記憶手段によって記憶された識別子に含まれない識別子があると判定されたとき、記憶された識別子に含まれない識別子に対応する通信装置が、自装置の直接通信可能範囲内に存在することが予定されていない旨の情報を出力する出力手段をさらに備えることを特徴とする付記１に記載の携帯通信端末装置。
【００９７】
（付記４）前記判定手段によって、前記記憶手段によって記憶された識別子が、前記受信手段によって受信されたいずれの識別子とも一致していないと判定されたとき、一致するものがない識別子に対応する通信装置が自装置の直接通信範囲の近傍にいるか否かを判定する存在可能判定手段をさらに備えることを特徴とする付記１または付記２に記載の携帯通信端末装置。
【００９８】
（付記５）前記出力手段は、
前記存在可能判定手段によって、一致するものがない識別子に対応する通信装置が、自装置の直接通信範囲の近傍にいると判定されたとき、当該通信装置が所定の時間経過前に自装置の直接通信可能範囲内に存在可能である旨を出力することを特徴とする付記４に記載の携帯通信端末装置。
【００９９】
（付記６）前記受信手段は、
通信装置固有の識別子を、近距離無線通信を用いて受信することを特徴とする付記１から付記５のいずれか１つに記載の携帯通信端末装置。
【０１００】
（付記７）前記受信手段は、
自装置と直接通信可能な範囲に存在する通信装置であって自装置との直接通信があらかじめ許可されている通信装置から当該通信装置固有の識別子および自装置と直接通信可能な範囲に存在することが予定されている他の通信装置の不在通知を含んだ情報を受信することを特徴とする付記１から付記６のいずれか１つに記載の携帯通信端末装置。
【０１０１】
（付記８）前記判定手段によって、前記記憶手段によって記憶された識別子が、前記受信手段によって受信されたいずれの識別子とも一致していないと判定されたとき、一致するものがない識別子に対応する通信装置に対して自装置の直接通信範囲内にくることを促すメッセージを送信する送信手段をさらに備えることを特徴とする付記１から付記７のいずれか１つに記載の携帯通信端末装置。
【０１０２】
（付記９）自装置と直接通信可能な範囲に存在することが予定されている通信装置の識別子を記憶する記憶手順と、
自装置と直接通信可能な範囲に存在する通信装置であって自装置との直接通信があらかじめ許可されている通信装置から当該通信装置固有の識別子を受信する受信手順と、
前記記憶手順によって記憶された各識別子が、前記受信手順によって受信されたいずれかの識別子と一致しているか否かを判定する判定手順と、
をコンピュータに実行させることを特徴とする存在確認プログラム。
【０１０３】
（付記１０）自装置と直接通信可能な範囲に存在することが予定されている通信装置の識別子を記憶する記憶工程と、
自装置と直接通信可能な範囲に存在する通信装置であって自装置との直接通信があらかじめ許可されている通信装置から当該通信装置固有の識別子を受信する受信工程と、
前記記憶工程によって記憶された各識別子が、前記受信工程によって受信されたいずれかの識別子と一致しているか否かを判定する判定工程と、
を含むことを特徴とする存在確認方法。
【０１０４】
（付記１１）自装置と直接通信可能な範囲に存在することが予定されている通信装置の識別子を記憶する記憶手段と、
自装置と直接通信可能な範囲に存在する通信装置であって自装置との直接通信があらかじめ許可されている通信装置から当該通信装置固有の識別子を受信する受信手段と、
前記記憶手段によって記憶された各識別子が、前記受信手段によって受信されたいずれかの識別子と一致しているか否かを判定する判定手段と、
を備えることを特徴とする制御回路。
【図面の簡単な説明】
【０１０５】
【図１】実施例１に係る携帯通信端末装置の出席状況確認処理の概念を説明するための図である。
【図２】実施例１に係る携帯通信端末装置の要部構成の一例を示す図である。
【図３】グループ・メンバ情報のデータ構造の一例を示す図である。
【図４】識別番号の取得方法を示す図である。
【図５】実施例１に係る出席状況確認処理のフローチャートを示す図である。
【図６】実施例１に係る出席状況確認処理のシーケンスを示す図である。
【図７】出席状況確認時における携帯通信端末装置の表示の一例を示す図である。
【図８】実施例２に係る携帯通信端末装置の全体構成の一例を示す図である。
【図９】実施例２に係る出席状況確認処理のフローチャートを示す図である。
【図１０】実施例２に係る出席状況確認処理のシーケンスを示す図である。
【符号の説明】
【０１０６】
１  携帯通信端末装置
１１０  ユーザインタフェース部
１１１  入力部
１１２  出力部
１２０  データ管理部
１２１  グループ取得部
１２２  出席予定対象者取得部
１３０  記憶部
１３１  グループ情報
１３２  グループ・メンバ情報
１３３  接続許可識別番号情報
１４０  制御部
１４１  送信処理部
１４２  受信処理部
１４３  識別番号照合部
１５０  通信制御部
【図１】
2010128811.tif 000003
【図２】
2010128811.tif 000004
【図３】
2010128811.tif 000005
【図４】
2010128811.tif 000006
【図５】
2010128811.tif 000007
【図６】
2010128811.tif 000008
【図７】
2010128811.tif 000009
【図８】
2010128811.tif 000010
【図９】
2010128811.tif 000011
【図１０】
2010128811.tif 000012